(57)【特許請求の範囲】
【請求項１】
入出力用のリード線コネクタ部と接続するコネクタ端子が複数実装された配線基板を内部に収容するためのベース体と蓋体とを有する遊技機用基板ケースを、遊技機の背面側に装着する際の取付構造であって、
前記蓋体の外部に配置された回転軸線周りで回転することにより、前記蓋体から外部に突出して配置された複数のコネクタ端子を露出状態とする開放位置と、それらのコネクタ端子のすべて又は一部を一括して覆う閉鎖位置とに変位するとともに、前記リード線コネクタ部とコネクタ端子との接続時のリード線を外部へ引き出すための隙間が前記閉鎖位置にて前記蓋体との間に形成される１又は複数のコネクタカバーと、
前記閉鎖位置のコネクタカバーを固定保持するために、前記ベース体及び蓋体のうちの少なくとも一方と前記コネクタカバーとの間に形成されたロック機構と、
そのロック機構を前記遊技機用基板ケースの外部から覆って遮蔽するために、前記ベース体及び蓋体のうちの少なくとも一方に対してビス等の締結部材によって固定されたロック機構遮蔽部材とを備え、
前記遊技機用基板ケースが遊技機の背面側に装着された状態において、前記コネクタカバーが前記開放位置に保持されて前記リード線コネクタ部とコネクタ端子とが接続され、前記閉鎖位置にて前記ロック機構により前記コネクタカバーが前記ベース体及び蓋体のうちの少なくとも一方に固定保持されるとともに前記ロック機構遮蔽部材によりそのロック機構を遮蔽することを特徴とする遊技機用基板ケースの取付構造。
【請求項２】
入出力用のリード線コネクタ部と接続するコネクタ端子が複数実装された配線基板を内部に収容するためのベース体と蓋体とを有する遊技機用基板ケースを、遊技機の背面側に装着する際の取付構造であって、
前記蓋体の外部に配置された回転軸線周りで回転することにより、前記蓋体から外部に突出して配置された複数のコネクタ端子を露出状態とする開放位置と、それらのコネクタ端子のすべて又は一部を一括して覆う閉鎖位置とに変位するとともに、前記リード線コネクタ部とコネクタ端子との接続時のリード線を外部へ引き出すための隙間が前記閉鎖位置にて前記蓋体との間に形成される１又は複数のコネクタカバーと、
前記閉鎖位置のコネクタカバーを固定保持するために、前記ベース体及び蓋体のうちの少なくとも一方と前記コネクタカバーとの間に形成されたロック機構と、
そのロック機構を前記遊技機用基板ケースの外部から覆って遮蔽するために、前記ベース体及び蓋体のうちの少なくとも一方に対してその外面側からビス等の締結部材によって固定されたロック機構遮蔽部材と、
前記遊技盤又はそれに固定された固定側部材に形成され、前記ロック機構遮蔽部材の取外しを阻止するために、前記遊技盤に対する前記遊技機用基板ケースの特定方向への姿勢変化にかかわらず、前記締結部材の着脱及び前記ロック機構遮蔽部材の取外しを不能とする阻止部とを備え、
前記遊技機用基板ケースが遊技機の背面側に装着され、前記リード線コネクタ部とコネクタ端子とが接続された状態において、前記遊技機用基板ケースが前記ロック機構及びロック機構遮蔽部材とともに特定方向へ姿勢変化した場合には、前記阻止部によって前記ロック機構遮蔽部材の取外しが阻止される一方、他の方向へ姿勢変化した場合には、前記ロック機構遮蔽部材は前記阻止部の作用範囲外に移動して取外しが可能となることを特徴とする遊技機用基板ケースの取付構造。
【発明の詳細な説明】
【技術分野】
【０００１】
本発明は、パチンコ機、スロットマシン等の遊技機において、主制御基板等の配線基板を収容する遊技機用基板ケースの取付構造に関する。
【背景技術】
【０００２】
パチンコ機、スロットマシン等の遊技機には、遊技の進行を司る主制御基板や、遊技媒体（遊技球、コイン等）を払い出す払出装置の作動を制御する払出制御基板等、多くの配線基板（プリント基板）が使用されている。そして、パチンコ機においては、これらの配線基板は、遊技盤に配置された検出器や遊技装置との間、配線基板相互間、又はホールコンピュータ等の管理装置との間で、データ信号、制御信号、駆動電源等の入出力を行う。例えば、入賞検出のデータ信号を主制御基板に入力し、主制御基板から払出制御基板を経由して賞球払出装置へ払出制御信号を出力することによって、遊技を円滑に実行することができる。他方、不正な付加装置（いわゆる、ぶら下がり基板）を用いて始動入賞装置（チャッカー）から主制御基板への始動入賞検出の入力信号（データ信号）を操作したり、主制御基板から払出制御基板への賞球払出の出力信号（制御信号）を操作したりする（いわゆる、ぶら下がりゴト）ことによって、大量の賞球を不正に獲得することも可能になる。そこで、これらの不正行為を防止するために、上記配線基板（特に主制御基板や払出制御基板）はベース体と蓋体とで構成された基板ケース内にかしめ等により密封状に収容されて、遊技機の背面側（遊技盤の裏面側等）に配置されている。
【０００３】
ところがこれらの配線基板には、通常、入出力用のリード線コネクタ部と接続して上記した諸機器・諸装置とデータ信号、制御信号、駆動電源等の入出力を行うコネクタ端子が複数（多数）実装され、これらのコネクタ端子は、リード線コネクタ部と接続する際に基板ケースの蓋体から外部に露出していなければならない。もし、コネクタ端子がリード線コネクタ部との接続後も外部露出していると、上記したぶら下がりゴト等の不正行為が行われやすくなる。そこで、コネクタ端子１個を単位としてケース蓋部（蓋体）にコネクタ蓋部（コネクタカバー）を被せ、かしめ部によって固定する構造が開示されている（特許文献１参照）。また、コネクタ受け部（コネクタ端子）に差込接続されるコネクタ（リード線コネクタ部）１個を単位として、抜脱防止部材を係合させて固定する構造が開示されている（特許文献２，３参照）。
【０００４】
【特許文献１】特開２００６−２６３２５９号公報
【特許文献２】特開２００３−３２５９１１号公報
【特許文献３】特開２００２−２７０３００号公報
【０００５】
これらに開示された固定構造によれば、コネクタ蓋部や抜脱防止部材によってコネクタ接続部（コネクタ端子とリード線コネクタ部との接続部）におけるぶら下がりゴト等の不正行為を防止したり、不正行為の痕跡を残したりすることができる。しかし、コネクタ端子毎にコネクタ蓋部や抜脱防止部材をセットしなければならずコネクタ接続操作に工数を要する。また、コネクタ接続作業中のコネクタ接続部にコネクタ誤接続や断線が発生した（発見された）場合、たとえ１ヶ所でもコネクタ蓋部や抜脱防止部材が固定されているとリード線コネクタ部の差し替えができなくなってしまうので、製品の歩留まりが著しく低下することになる。さらに、コネクタ接続作業終了後において、例えば出荷前検査時にコネクタ誤接続や断線が発見された場合や、再利用のために分解する場合には、基板ケース全体を破壊しなければコネクタ接続部の差し替えはできないから、製品の歩留まりはさらに低下する傾向がある。
【発明の開示】
【発明が解決しようとする課題】
【０００６】
本発明の課題は、ぶら下がりゴト等の不正行為を防止できるとともに、コネクタ接続作業が短時間で効率的にかつ容易に行え、コネクタ接続作業中にコネクタ誤接続や断線が発生してもリード線コネクタ部の差し替えが破壊を伴うことなく容易に行える遊技機用基板ケースの取付構造を提供することにある。さらには、コネクタ接続作業終了後にコネクタ誤接続や断線が発見された場合や、再利用のために分解する場合でも、リード線コネクタ部の差し替えが破壊を伴うことなく容易に行える遊技機用基板ケースの取付構造を提供することにある。
【課題を解決するための手段及び発明の効果】
【０００７】
上記課題を解決するために、本発明の遊技機用基板ケースの取付構造は、
入出力用のリード線コネクタ部と接続するコネクタ端子が複数実装された配線基板を内部に収容するためのベース体と蓋体とを有する遊技機用基板ケースを、遊技機の背面側に装着する際の取付構造であって、
前記蓋体の外部に配置された回転軸線周りで回転することにより、前記蓋体から外部に突出して配置された複数のコネクタ端子を露出状態とする開放位置と、それらのコネクタ端子のすべて又は一部を一括して覆う閉鎖位置とに変位するとともに、前記リード線コネクタ部とコネクタ端子との接続時のリード線を外部へ引き出すための隙間が前記閉鎖位置にて前記蓋体との間に形成される１又は複数のコネクタカバーと、
前記閉鎖位置のコネクタカバーを固定保持するために、前記ベース体及び蓋体のうちの少なくとも一方と前記コネクタカバーとの間に形成されたロック機構と、
そのロック機構を前記遊技機用基板ケースの外部から覆って遮蔽するために、前記ベース体及び蓋体のうちの少なくとも一方に対して（例えばその外面側から）ビス等の締結部材によって固定されたロック機構遮蔽部材とを備え、
前記遊技機用基板ケースが遊技機の背面側に装着された状態において、前記コネクタカバーが前記開放位置に保持されて前記リード線コネクタ部とコネクタ端子とが接続され、前記閉鎖位置にて前記ロック機構により前記コネクタカバーが前記ベース体及び蓋体のうちの少なくとも一方に固定保持されるとともに前記ロック機構遮蔽部材によりそのロック機構を遮蔽することを特徴とする。
【０００８】
このように、コネクタカバーを開放位置に保持してコネクタ接続作業を行った後、ロック機構によりコネクタカバーを閉鎖位置にて固定保持（ロック）し、そのロック機構をロック機構遮蔽部材で外部から遮蔽することによって、ぶら下がりゴト等の不正行為を防止できる。また、係止機構によりコネクタカバーを蓋体から取り外すことなく開放位置に保持した状態で複数のコネクタ接続を一括して行えるので、コネクタ接続作業が短時間で効率的にかつ容易に行える。さらに、コネクタ接続作業中にコネクタ誤接続や断線が発生しても、リード線コネクタ部の差し替えが破壊を伴うことなく容易に行えるので、製造時（コネクタ接続時）の歩留まり低下（不良品発生）を抑制できる。
【０００９】
なお、閉鎖位置から開放位置へのコネクタカバーの回転角度を９０°〜１８０°とする場合には、コネクタカバーを蓋体に取り付けたままで大きく開放し、コネクタ接続作業を一層能率よく行える。
【００１０】
ところで、遊技機用基板ケースは、パチンコ機においては、遊技機の背面側（後方側）において、遊技盤を固定支持する内枠に直接装着されたり、内枠に固定された固定側部材に装着されたりしている。ここで、「内枠に固定された固定側部材」には、内枠と一体化された部材をすべて含む。すなわち、内枠に直接固定された部材（例えば遊技盤）又は他部材（例えば遊技盤や盤裏カバー）を介して間接的に固定された部材（例えば台座）を含む。
【００１１】
また、このような遊技機用基板ケースに収容される配線基板には、例えば以下のものが含まれる。
（１）制御信号の入出力に係わる制御基板；
これには、遊技の進行を司る主制御基板、払出装置の作動を制御する払出制御基板、液晶表示装置を駆動制御する表示制御基板、ランプ類の点滅やスピーカの音声出力等を制御する副制御基板等が含まれる。
（２）（１）の基板への駆動電源の調整や供給に係わる電源基板。
【００１２】
さらに上記課題を解決するために、本発明の遊技機用基板ケースの取付構造は、
入出力用のリード線コネクタ部と接続するコネクタ端子が複数実装された配線基板を内部に収容するためのベース体と蓋体とを有する遊技機用基板ケースを、遊技機の背面側に装着する際の取付構造であって、
前記蓋体の外部に配置された回転軸線周りで回転することにより、前記蓋体から外部に突出して配置された複数のコネクタ端子を露出状態とする開放位置と、それらのコネクタ端子のすべて又は一部を一括して覆う閉鎖位置とに変位するとともに、前記リード線コネクタ部とコネクタ端子との接続時のリード線を外部へ引き出すための隙間が前記閉鎖位置にて前記蓋体との間に形成される１又は複数のコネクタカバーと、
前記閉鎖位置のコネクタカバーを固定保持するために、前記ベース体及び蓋体のうちの少なくとも一方と前記コネクタカバーとの間に形成されたロック機構と、
そのロック機構を前記遊技機用基板ケースの外部から覆って遮蔽するために、前記ベース体及び蓋体のうちの少なくとも一方に対してその外面側からビス等の締結部材によって固定されたロック機構遮蔽部材と、
前記遊技盤又はそれに固定された固定側部材に形成され、前記ロック機構遮蔽部材の取外しを阻止するために、前記遊技盤に対する前記遊技機用基板ケースの特定方向への姿勢変化にかかわらず、前記締結部材の着脱及び前記ロック機構遮蔽部材の取外しを不能とする阻止部とを備え、
前記遊技機用基板ケースが遊技機の背面側に装着され、前記リード線コネクタ部とコネクタ端子とが接続された状態において、前記遊技機用基板ケースが前記ロック機構及びロック機構遮蔽部材とともに特定方向へ姿勢変化した場合には、前記阻止部によって前記ロック機構遮蔽部材の取外しが阻止される一方、他の方向へ姿勢変化した場合には、前記ロック機構遮蔽部材は前記阻止部の作用範囲外に移動して取外しが可能となることを特徴とする。
【００１３】
このような遊技機用基板ケースの取付構造においても、コネクタカバーを開放位置に保持してコネクタ接続作業を行った後、ロック機構によりコネクタカバーを閉鎖位置にて固定保持（ロック）し、そのロック機構をロック機構遮蔽部材で外部から遮蔽するとともに、阻止部によってロック機構遮蔽部材の取外しを阻止することによって、ぶら下がりゴト等の不正行為を一層確実に防止できる。また、係止機構によりコネクタカバーを蓋体から取り外すことなく開放位置に保持した状態で複数のコネクタ接続を一括して行えるので、コネクタ接続作業が短時間で効率的にかつ容易に行える。さらに、コネクタ接続作業中にコネクタ誤接続や断線が発生しても、リード線コネクタ部の差し替えが破壊を伴うことなく容易に行えるので、製造時（コネクタ接続時）の歩留まり低下（不良品発生）を抑制できる。
【００１４】
しかも、コネクタ接続作業終了後において、例えば出荷前検査時にコネクタ誤接続や断線が発見された場合や、再利用のために分解する場合でも、リード線コネクタ部の差し替えが破壊を伴うことなく容易に行える。このように、コネクタ接続作業中、検査時、分解時等にコネクタ誤接続や断線が発生しても、リード線コネクタ部の差し替えが容易に行えるので、製造時（コネクタ接続時）、完成時（検査時）及び再利用時（分解時）を問わず歩留まり低下（不良品発生）を抑制できる。
【００１５】
なお、阻止部は、内枠に固定された固定側部材（例えば盤裏カバー）から一体的に突出形成した突出部にて構成することができる。また、締結部材として、ビスの他、ボルト、ピン、キー等を用いることができる。
【００１６】
さらに、遊技機用基板ケースの特定方向への姿勢変化は遊技盤の盤面に平行な回動軸線周りでの回動変位であり、他の方向への姿勢変化は遊技盤の盤面に平行な方向又は盤面と交差する方向へのスライド移動変位とすることができる。
【００１７】
このように、遊技機用基板ケースの回動変位によって、製造時（コネクタ接続時）、完成時（検査時）及び再利用時（分解時）を問わず、配線基板の裏面（コネクタ端子の非実装面）を点検することが容易になり、不正行為の発見も容易になる。
【００１８】
具体的には、遊技機用基板ケースのベース体が内枠に固定された固定側部材（例えば遊技盤や盤裏カバーを介して内枠に固定された台座）に装着された場合、遊技機用基板ケースは台座に対して遊技盤の盤面に平行な回動軸線周りで回動可能であり、盤裏カバーに対して遊技盤の盤面に平行な方向へスライド移動可能とすることができる。これによって、遊技機用基板ケースの回動によってコネクタ端子の非実装面を点検し、遊技機用基板ケースのスライド移動によって破壊を伴うことなく分解することができる。
【００１９】
なお、以上のような遊技機用基板ケースを遊技機から取り外すための取り外し方法の観点から把握した場合、
前記遊技機用基板ケースが遊技機の背面側に装着され、前記リード線コネクタ部とコネクタ端子とがすべて接続された状態において、前記遊技機用基板ケースが前記ロック機構及びロック機構遮蔽部材とともに特定方向へ姿勢変化した場合には、前記阻止部によって前記ロック機構遮蔽部材の取外しが阻止される一方、他の方向へ姿勢変化した場合には、前記ロック機構遮蔽部材は前記阻止部の作用範囲外に移動して取外しが可能となることが特徴となる。
【発明を実施するための最良の形態】
【００２０】
（実施例）
以下、本発明の実施の形態を図面を参照しつつ説明する。図１は本発明に係る遊技機用基板ケース［取付構造］を備えたパチンコ機を例示する背面図、図２は本発明に係る基板ケース［取付構造］の一例を示す分解斜視図である。図１及び図２に示すように、パチンコ機１（遊技機）の背面側の中央下部には、遊技の進行を司る矩形状の主制御基板Ｂ（配線基板）を内部に収容するために、ベース体１１と蓋体１２とを有する矩形状の主制御基板ケース（以下、単に基板ケースともいう）１０（遊技機用基板ケース）が配置されている。具体的には図１において、パチンコ機１の内枠２に遊技盤３（固定側部材）が取り付けられ、遊技盤３の背面側において、盤裏カバー４（固定側部材）を介して遊技盤３に固定された台座５（固定側部材）に、基板ケース１のベース体１１が長手方向を左右方向として装着されている（図８参照）。
【００２１】
本明細書において、背面側とは遊技盤３と交差（例えば直交）するパチンコ機１の前後方向のうち遊技者側（前方側）とは反対側（後方側）を意味する。また、上下方向とは遊技盤３の盤面に沿う形で遊技球が流下する方向（例えば鉛直方向）を意味する。さらに、左右方向とは遊技盤３に沿う形で上下方向と交差する方向（例えば水平方向）を意味し、パチンコ機１の背面側において左側、右側をいう。
【００２２】
図２に示す主制御基板Ｂには、表面側に入出力用のリード線コネクタ部ＣＰと接続するコネクタ端子ＣＴ（図７参照）が多数（例えば８個）実装されている。図１３に示すように、基板ケース１０は、台座５に対して遊技盤３の盤面に平行で基板ケース１０の上側端面上方に配置された回動軸線Ｏ２周りで上方回動して、主制御基板Ｂの裏面（コネクタ端子ＣＴの非実装面）を点検可能である。具体的には、ベース体１１の左右両端部に一体形成された一対の筒状回動軸１１ｂが、台座５の左右両端部に一体形成された一対の固定軸５ｂ（回動軸線Ｏ２）の周りに回動可能に各々軸支されている。なお、台座５の左右方向中央部の下端縁には、基板ケース１０（蓋体１２）を台座５に対して平行形態で固定ロックしておくために、ケースロック爪５ｃが一体形成されている（図７参照）。
【００２３】
また、図８に示すように、基板ケース１０は、ベース体１１と蓋体１２とに分解して主制御基板Ｂを交換・再使用等するために、盤裏カバー４に対して遊技盤３の盤面に平行な左右方向（例えば水平方向）へスライド移動し、台座５とともに遊技盤３（盤裏カバー４）から分離可能である。具体的には、台座５の裏面の四隅（上下左右）に各々一体形成されたスライド爪５ａが、それらに対応して盤裏カバー４の後壁に各々貫通形成された左右方向の長孔４ａ内をスライド移動する。
【００２４】
図１に戻り、パチンコ機１（遊技機）の背面側には、右側端部の上下方向に賞球払出装置６が配置され、賞球払出装置６の下方には、賞球払出装置６の作動を制御するための払出制御基板（図示せず）を内部に収容する払出制御基板ケース２０（遊技機用基板ケース）が配置されている。なお、パチンコ機１（遊技機）の背面側には、主制御基板ケース１０や払出制御基板ケース２０の他にも、液晶表示装置を駆動制御するための表示制御基板を内部に収容する表示制御基板ケース、ランプ類の点滅やスピーカの音声出力等を制御するための副制御基板を内部に収容する副制御基板ケース、電源基板を内部に収容する電源基板ケース等が配置されているが、いずれも図示を省略した。また、各基板ケースの基本的な構造は共通しているので、これらを代表して主制御基板ケース１０についてのみ説明する。
【００２５】
図３はコネクタカバーが開放位置にあるときの基板ケースの組立状態を示す斜視図、図４はその背面図、図５は図４のＡ−Ａ断面図、Ｂ−Ｂ断面図及びＣ−Ｃ断面図、図６は図４のＤ−Ｄ断面図である。図３に示すように、基板ケース１０は、蓋体１２の外部（背面側下部）において回動軸線Ｏ２と平行状に配置された回転軸線Ｏ１周りで回転するコネクタカバー１３を備えている。コネクタカバー１３は、蓋体１２の窓孔１２ｄから外部に突出して配置された計８個のコネクタ端子ＣＴを露出状態とする開放位置と、それらのコネクタ端子ＣＴを同時に覆う閉鎖位置（図１０参照）とに変位する。開放位置にてリード線コネクタ部ＣＰがコネクタ端子ＣＴと接続され（図９参照）、コネクタカバー１３が閉鎖位置に変位すると、リード線Ｗはコネクタカバー１３と蓋体１２との間に形成される隙間Ｓから外部へ引き出される（図１２参照）。
【００２６】
図２において、蓋体１２上部の左右方向両端部外面には、コネクタカバー１３の回転軸線Ｏ１方向の位置決めと筒状回転軸１３ａ（回転軸部）の回転軸支とを行うために、軸部材１４（回転支承部材）が固定配置されている。具体的には図６に示すように、軸部材１４は、コネクタカバー１３の筒状回転軸１３ａに挿入される固定軸１４ａと、蓋体１２の係合窓１２ｃに挿入される係合爪１４ｃ（係止部）と、軸取付用ビス１４ｆ（軸用締結部材）によって蓋体１２の内面側から位置決め固定される取付部１４ｂとを有している。このように、コネクタカバー１３の筒状回転軸１３ａを軸支する軸部材１４を蓋体１２の内面側から位置決め固定することによって、閉鎖位置にて後述するロック機構により固定保持されたコネクタカバー１３を不正に取り外す行為が防止される。
【００２７】
なお、図５の各図に示すように、閉鎖位置から開放位置へのコネクタカバー１３の回転角度は９０°〜１８０°の間（例えば約１２０°）に設定されている。これにより、コネクタカバー１３を取り外すことなく蓋体１２に取り付けたままで大きく開放できるので、コネクタ接続作業を能率よく行える。
【００２８】
また、コネクタカバー１３と蓋体１２との間には、回転軸線Ｏ１周りでのコネクタカバー１３の回転を開放位置で停止させるための係止機構が備えられている。具体的には図５（ｂ）の拡大図に示すように、係止機構は、コネクタカバー１３の筒状回転軸１３ａに一体的に形成された膨出部１３ｂと、蓋体１２の外面に一体的に形成された凹部１２ｂとで構成されている。そして、膨出部１３ｂと凹部１２ｂとが当接することによってコネクタカバー１３は開放位置にて停止状態を維持可能となる。したがって、基板ケース１０のコネクタカバー１３は、コネクタ接続前の搬送時等において回転軸線Ｏ１の方向が変動しても、不意に閉鎖位置に変位しなくなる。
【００２９】
さらに、ベース体１１とコネクタカバー１３との間、及び蓋体１２とコネクタカバー１３との間には、閉鎖位置のコネクタカバー１３を固定保持するためのロック機構がそれぞれ備えられている。具体的には図３、図４及び図５（ｃ）に示すように、ロック機構は、コネクタカバー１３の右上端部に形成されたカバー側ロック爪１３Ｒ（カバー側ロック部）と、ベース体１１の上側端面の右端部に形成されたベース側ロック爪１１Ｒ（ベース側ロック部）とから構成されたベースロック機構を含む。このベースロック機構は、コネクタカバー１３の開放位置から閉鎖位置への回転に伴ってカバー側ロック爪１３Ｒがベース側ロック爪１１Ｒに進入し、コネクタカバー１３とベース体１１とを係合保持する（図１１（ｂ）参照）。
【００３０】
ベース体１１の上側端面の右端部には、閉鎖位置にてカバー側ロック爪１３Ｒとベース側ロック爪１１Ｒとを包囲してロック解除を防止するために（図１１（ｂ）参照）、カバー側ロック爪１３Ｒの進入方向を中心とし、四角筒状の側面部を有するベース側防護壁１１ａ（防護部）が、ベース側ロック爪１１Ｒと一体成形されている。さらに、ベース体１１の上側端面の右端部には、ロック爪カバー１５Ｒ（ロック機構遮蔽部材）が固定され、ベースロック機構を基板ケース１０の外部から覆って遮蔽している。具体的には、ロック爪カバー１５Ｒは、ベース側防護壁１１ａの底部開口１１ａ’を塞ぐ遮蔽板１５ａと、カバー取付用ビス１５ｆ（カバー用締結部材）によってベース体１１に外面側から取り付けられる取付部１５ｂとを有している。
【００３１】
このように、ベースロック機構は、固定軸１４ａと筒状回転軸１３ａとによって蓋体１２に軸支されたコネクタカバー１３をベース体１１に固定保持するので、ベース体１１と蓋体１２とを密封固定するための固定手段を兼用でき、基板ケース１０に対する不正行為を確実に防止することができる。また、コネクタカバー１３が閉鎖されたときにベース側防護壁１１ａがカバー側ロック爪１３Ｒとベース側ロック爪１１Ｒとを包囲し、遮蔽板１５ａが底部開口１１ａ’を塞ぐので、ベースロック機構の不正開錠（ロック解除）を防止できる。
【００３２】
さらに、図３、図４及び図５（ａ）（ｂ）に示すように、ロック機構は、コネクタカバー１３の左上端部及び中間上端部にそれぞれ形成されたカバー側ロック爪１３Ｌ，１３Ｃ（カバー側ロック部）と、蓋体１２の上側端面の左端部及び中間部にそれぞれ形成された蓋側ロック爪１２Ｌ，１２Ｃ（蓋側ロック部）とから構成された蓋ロック機構を含む。このベースロック機構は、コネクタカバー１３の開放位置から閉鎖位置への回転に伴ってカバー側ロック爪１３Ｌ，１３Ｃが蓋側ロック爪１２Ｌ，１２Ｃにそれぞれ進入し、コネクタカバー１３と蓋体１２とを係合保持する（図１１（ａ）参照）。
【００３３】
蓋体１２の上側端面の左端部及び中間部には、閉鎖位置にてカバー側ロック爪１３Ｌ，１３Ｃと蓋側ロック爪１２Ｌ，１２Ｃとを包囲してロック解除を防止するために（図１１（ａ）参照）、カバー側ロック爪１３Ｌ，１３Ｃの進入方向を中心とし、四角筒状の側面部を有する蓋側防護壁１２ａ，１２ａ（防護部）が、蓋側ロック爪１２Ｌ，１２Ｃとそれぞれ一体成形されている。さらに、蓋体１２の上側端面の左端部には、ロック爪カバー１５Ｌ（ロック機構遮蔽部材）が固定され、蓋ロック機構を基板ケース１０の外部から覆って遮蔽している。具体的には、ロック爪カバー１５Ｌは、蓋側防護壁１２ａの底部開口１２ａ’を塞ぐ遮蔽板１５ａと、カバー取付用ビス１５ｆによって蓋体１２に外面側から取り付けられる取付部１５ｂとを有している。なお、蓋体１２の上側端面の中間部に形成された蓋側防護壁１２ａ（蓋側ロック爪１２Ｃ）には、ロック爪カバーは設けられていない。
【００３４】
このように、ベースロック機構に加えて蓋ロック機構を備えているので、基板ケース１０に対する不正行為をより確実に防止でき、蓋ロック機構の不正開錠（ロック解除）も防止できる。
【００３５】
次に、図７は基板ケースを台座に取り付けた状態、図８はさらに盤裏カバーに取り付ける状態、図９はコネクタ接続状態、図１０〜図１２はコネクタカバーが閉鎖位置に移動した状態、図１３，図１４は基板ケースが回動した状態をそれぞれ表している。図８、図１０の拡大図及び図１３の拡大図に示すように、盤裏カバー４の左上端部及び右上端部には、ロック爪カバー１５Ｌ，１５Ｒの取外しを阻止する突出部４Ｌ，４Ｒ（阻止部）が後方側に向けて一体的に突出形成されている。
【００３６】
具体的には、突出部４Ｌ，４Ｒは、基板ケース１０の回動全範囲（例えば約９０°）にわたってロック爪カバー１５Ｌ，１５Ｒの取付部１５ｂ，１５ｂに対向して接近できるように、その対向面が回動軸線Ｏ２を中心とする円弧状面をなすように形成されている。したがって、基板ケース１０が回動軸線Ｏ２周りで回動しても、取付部１５ｂ，１５ｂと突出部４Ｌ，４Ｒとの間にねじ回し工具を差し込んでカバー取付用ビス１５ｆ，１５ｆを操作し（緩め）、ロック爪カバー１５Ｌ，１５Ｒを取り外そうとする不正行為を阻止できる。
【００３７】
一方、台座５のスライド爪５ａが盤裏カバー４の長孔４ａ内をスライド移動するときには、突出部４Ｌ，４Ｒは取付部１５ｂ，１５ｂに干渉しないので、基板ケース１０は台座５とともに盤裏カバー４から分離できる。したがって、コネクタ接続作業中、検査時、分解時等にコネクタ誤接続や断線が発生しても、リード線コネクタ部ＣＰの差し替えが容易に行えるので、製造時（コネクタ接続時）、完成時（検査時）及び再利用時（分解時）を問わず歩留まり低下（不良品発生）を抑制できる。
【００３８】
次に、図２〜図１４を用いて、以上のような構成を有する基板ケース［取付構造］の主な作業工程について概説する。
【００３９】
＜基板ケース組立工程＞（図２〜図６）
蓋体１２に主制御基板Ｂを固定し、ベース体１１を蓋体１２にかしめることによって、主制御基板Ｂを基板ケース１０の内部に密封する。このとき、コネクタカバー１３は、膨出部１３ｂと凹部１２ｂ（係止機構）との係合により、コネクタ端子ＣＴが蓋体１２の窓孔１２ｄから露出する開放位置に保持されている。
【００４０】
＜台座取付工程＞（図７）
ベース体１１の筒状回動軸１１ｂに台座５の固定軸５ｂを挿通して、台座５に対して基板ケース１０を回動軸線Ｏ２周りに回動可能に装着し、蓋体１２にケースロック爪５ｃを固定ロックする。なお、コネクタカバー１３は引き続き開放位置に保持されている。
【００４１】
＜盤裏カバー装着工程＞（図８）
台座５のスライド爪５ａを盤裏カバー４の長孔４ａ内でスライド移動して、基板ケース１０を台座５とともに盤裏カバー４に固定する。なお、コネクタカバー１３は引き続き開放位置に保持されている。
【００４２】
＜コネクタ接続工程＞（図９）
コネクタカバー１３が開放位置に保持された状態を保持して、コネクタ端子ＣＴにリード線コネクタ部ＣＰを接続する。コネクタ接続作業中にコネクタ誤接続や断線が発生した場合には、そのリード線コネクタ部ＣＰのみの差し替えを直ちに行える。
【００４３】
＜コネクタカバーロック工程＞（図１０〜図１２）
コネクタカバー１３を開放位置から閉鎖位置に変位すると、ベース側防護壁１１ａがカバー側ロック爪１３Ｒとベース側ロック爪１１Ｒ（ベースロック機構）とを包囲し、蓋側防護壁１２ａ，１２ａがカバー側ロック爪１３Ｌ，１３Ｃと蓋側ロック爪１２Ｌ，１２Ｃ（蓋ロック機構）とをそれぞれ包囲する。また、遮蔽板１５ａ，１５ａが底部開口１１ａ’，１２ａ’を塞ぐので、ベースロック機構及び蓋ロック機構の不正開錠（ロック解除）を防止できる。
【００４４】
＜基板ケース回動工程＞（図１３，図１４）
ケースロック爪５ｃを蓋体１２からロック解除し、基板ケース１０を台座５に対して回動軸線Ｏ２周りで上方回動すれば、主制御基板Ｂの裏面を点検できる。ただし、基板ケース１０を回動しても、盤裏カバー４の突出部４Ｌ，４Ｒはロック爪カバー１５Ｌ，１５Ｒの取付部１５ｂ，１５ｂ（カバー取付用ビス１５ｆ，１５ｆ）に対向している。したがって、カバー取付用ビス１５ｆ，１５ｆを緩め、ロック爪カバー１５Ｌ，１５Ｒを取り外そうとしても、このような不正行為は基板ケース１０の回動前後を問わず突出部４Ｌ，４Ｒによって阻止される。なお、コネクタカバーロック後において、例えば出荷前検査時にコネクタ誤接続や断線が発見された場合や、再利用のために分解する場合には、台座５のスライド爪５ａを盤裏カバー４の長孔４ａ内でスライド移動して、基板ケース１０を台座５とともに盤裏カバー４から取り外すことができる。
【００４５】
なお、実施例ではパチンコ機のみについて説明したが、本発明に係る遊技機用基板ケース［取付構造］をスロットマシン等に適用してもよい。
【図面の簡単な説明】
【００４６】
【図１】本発明に係る基板ケース［取付構造］を備えたパチンコ機を例示する背面図。
【図２】本発明に係る基板ケース［取付構造］の一例を示す分解斜視図。
【図３】図２でコネクタカバーが開放位置にあるときの組立状態を示す斜視図。
【図４】図３の背面図。
【図５】図４のＡ−Ａ断面図、Ｂ−Ｂ断面図及びＣ−Ｃ断面図。
【図６】図４のＤ−Ｄ断面図。
【図７】図３の基板ケースを台座に取り付けた状態を示す斜視図。
【図８】さらに盤裏カバーに取り付ける状態を示す斜視図。
【図９】コネクタ接続状態における図８のＡ’−Ａ’断面図及びＣ’−Ｃ’断面図。
【図１０】図８からコネクタカバーが閉鎖位置に移動したときの斜視図。
【図１１】図１０のＡ”−Ａ”断面図及びＣ”−Ｃ”断面図。
【図１２】図１０のＥ−Ｅ断面図及びＦ−Ｆ断面図。
【図１３】図１０から基板ケースが回動したときの斜視図。
【図１４】図１３のＥ’−Ｅ’断面図及びＦ’−Ｆ’断面図。
【符号の説明】
【００４７】
１        パチンコ機（遊技機）
３        遊技盤（固定側部材）
４        盤裏カバー（固定側部材）
４Ｌ，４Ｒ  突出部（阻止部）
４ａ      長孔
５        台座（固定側部材）
５ａ      スライド爪
５ｂ      固定軸
１０      主制御基板ケース（遊技機用基板ケース）
１１      ベース体
１１Ｒ    ベース側ロック爪（ベース側ロック部；ベースロック機構；ロック機構）
１１ａ    ベース側防護壁（防護部）
１１ａ’  底部開口
１１ｂ    筒状回動軸
１２      蓋体
１２Ｌ，１２Ｃ  蓋側ロック爪（蓋側ロック部；蓋ロック機構；ロック機構）
１２ａ    蓋側防護壁（防護部）
１２ａ’  底部開口
１２ｂ    凹部（係止機構）
１２ｄ    窓孔
１３      コネクタカバー
１３Ｌ，１３Ｃ  カバー側ロック爪（カバー側ロック部；蓋ロック機構；ロック機構）
１３Ｒ    カバー側ロック爪（カバー側ロック部；ベースロック機構；ロック機構）
１３ａ    筒状回転軸（回転軸部）
１３ｂ    膨出部（係止機構）
１４      軸部材（回転支承部材）
１４ａ    固定軸
１４ｂ    取付部
１４ｆ    軸取付用ビス（軸用締結部材）
１５Ｌ，１５Ｒ  ロック爪カバー（ロック機構遮蔽部材）
１５ａ    遮蔽板
１５ｂ    取付部
１５ｆ    カバー取付用ビス（カバー用締結部材）
２０      払出制御基板ケース（遊技機用基板ケース）
Ｂ        主制御基板（配線基板）
ＣＴ      コネクタ端子
ＣＰ      リード線コネクタ部
Ｗ        リード線
Ｏ１      回転軸線
Ｏ２      回動軸線
Ｓ        隙間
【図１】
0005179236.tif 000002
【図２】
0005179236.tif 000003
【図３】
0005179236.tif 000004
【図４】
0005179236.tif 000005
【図５】
0005179236.tif 000006
【図６】
0005179236.tif 000007
【図７】
0005179236.tif 000008
【図８】
0005179236.tif 000009
【図９】
0005179236.tif 000010
【図１０】
0005179236.tif 000011
【図１１】
0005179236.tif 000012
【図１２】
0005179236.tif 000013
【図１３】
0005179236.tif 000014
【図１４】
0005179236.tif 000015